(57)【要約】【課題】乾電池交換や予備の乾電池携帯の問題を解決することができ、また必要に応じて発光ダイオードの明るさを常時十分に維持することができる点滅式夜光チョッキを提供することを目的とする。【解決手段】チョッキ本体１と、このチョッキ本体１に設けられた複数の発光ダイオード２と、チョッキ本体１に装着される発光ダイオード用の電源装置３とを有し、チョッキ本体１を着衣して使用する点滅式夜光チョッキにおいて、電源装置３を、充電式の蓄電池としたことを特徴とする。【選択図】  図２
2006070416.tif 000002
【特許請求の範囲】
【請求項１】
チョッキ本体と、このチョッキ本体に設けられた複数の発光ダイオード等の発光体と、チョッキ本体に装着される発光体用の電源装置とを有し、チョッキ本体を着衣して使用する点滅式夜光チョッキにおいて、
前記電源装置を、充電式の蓄電池としたことを特徴とする点滅式夜光チョッキ。
【請求項２】
前記電源装置は、充電式の蓄電池と、ハンドルの回転操作で発電して前記蓄電池を充電するための発電機とを含むことを特徴とする請求項１に記載の点滅式夜光チョッキ。
【請求項３】
前記電源装置は、ケース本体と、ケース本体内に装備された充電式の蓄電池と、前記ケース本体に装備され、ハンドルの回転操作で発電して前記蓄電池を充電する発電機とを備え、前記ハンドルは前記ケース本体の外側に配置されていることを特徴とする請求項１に記載の点滅式夜光チョッキ。
【請求項４】
前記チョッキ本体は前記電源装置の収納部を有し、前記電源装置は、前記収納部から電源装置を取り出してハンドルの回転操作を行うために必要な長さの電源用リード線を備えていることを特徴とする請求項３に記載の点滅式夜光チョッキ。
【発明の詳細な説明】
【技術分野】
【０００１】  本発明は、夜間作業や夜間警備等において着衣する点滅式夜光チョッキに関する。
【背景技術】
【０００２】  夜間の土木建築作業や、夜間警備、夜間交通整理等においては、作業者の存在を例えばドライバーが確認しやすいように、帯状の蛍光部（反射テープ）を設けた夜光チョッキや、点滅式夜光チョッキを着衣するようにしている【０００３】  夜光チョッキは、チョッキ本体の前面と後面に反射テープを設けたもので、点滅式夜光チョッキは、反射テープの部分に、さらに点滅する発光ダイオード（発光体）を間隔をおいて複数設けたものである。【０００４】  発光ダイオード（ＬＥＤ）は、電源を必要とするため、従来から単３の電源用乾電池が用いられている。この乾電池はチョッキ本体の前面の内側に設けられた袋状の収納部に納められている。点滅方式には、一定間隔で点滅する一定点滅タイプの他に、一回点滅と数回点滅を交互に繰り返す特殊点滅タイプがあり、半導体等を用いた点滅制御器により制御されている。【０００５】
【特許文献１】      特開２００２−２１２８１５
【発明の開示】
【発明が解決しようとする課題】
【０００６】  従来の点滅式夜光チョッキは、電源に単３の乾電池を用いていたため、電圧低下により使用している途中でも乾電池を交換しなければならない場合が多々あった。この場合、予備の乾電池を所持していれば問題ないが、所持していないと交換できず、通常の夜光チョッキになってしまう問題がある。【０００７】  また、乾電池の性能により使用時間（点滅時間）が異なること、電池交換から現在までの延べ使用時間の把握が困難なことなどにより、着衣者はその残存電池量の予測をすることが難しい。そのため、着衣者は予備の乾電池を常時携帯しておかなければならない不便さもあった。【０００８】  また、単３乾電池では電池寿命により使用時間が長いとは言えない問題もある。単２や単１乾電池にすれば、それに応じて電池寿命も長くなるが、必要以上に重たくなる上に、電池交換や予備の乾電池携帯の問題は依然として解決されない。【０００９】  さらに、重要なことは、使用に伴う乾電池の電圧低下により、点灯時のＬＥＤの明るさが次第に低下したときの電池交換時期の問題である。即ち、早めに交換すれば乾電池の使用本数が多くなり不経済となる問題があり、交換しなければ発光ダイオードの十分な明るさを維持できず、点滅式夜光チョッキとしての性能が著しく低下する問題がある。【００１０】  したがって、本発明は、乾電池交換や予備の乾電池携帯の問題を解決することができ、また必要に応じて発光ダイオード等の発光体の明るさを常時十分に維持することができる点滅式夜光チョッキを提供することを目的とする。
【課題を解決するための手段】
【００１１】  本発明による点滅式夜光チョッキは、チョッキ本体と、このチョッキ本体に設けられた複数の発光ダイオード等の発光体と、チョッキ本体に装着される発光体用の電源装置とを有し、前記電源装置を、充電式の蓄電池としたことを特徴とするものである。【００１２】  本発明では、電源装置を充電式の蓄電池としたので、点滅式夜光チョッキの使用に際して予め充電しておくことで、使用の途中で乾電池交換したり、予備の乾電池を携帯したりする必要がなくなる。また、充分に充電しておくことで、発光体の明るさを常時十分に維持することができる。【００１３】  本発明において、前記電源装置は、充電式の蓄電池と、ハンドルの回転操作で発電して前記蓄電池を充電するための携帯型発電機とを含む構成としてもよい。
携帯型発電機を備えていることで、必要に応じてどこでも任意に蓄電池を充電して使用することができる。ハンドル回転操作式の携帯型発電機は極めて軽量とすることができるので、携帯に便利な上に、一台あれば他の作業者が着衣している点滅式夜光チョッキの蓄電池も充電できるので、作業者が個々に携帯する必要もなくなる。【００１４】  本発明において、前記電源装置は、ケースと、ケース内に装備された充電式の蓄電池と、前記ケースに装備され、ハンドルの回転操作で発電して前記蓄電池を充電する発電機とを備え、前記ハンドルは前記ケースの外側に配置されている構成としてもよい。蓄電池と発電機をケースに装備して一つにまとめた電源装置とすることで、コンパクト化が可能になる上に、必要に応じていつでも蓄電池を充電することができる。【００１５】  本発明において、前記チョッキ本体は前記電源装置の収納部を有し、前記電源装置は、前記収納部から電源装置を取り出してハンドルの回転操作を行うために必要な長さの電源用リード線を備えている構成としてもよい。この電源用リード線の存在によって、チョッキを着衣したままでハンドルの回転操作を行うことができる。
【発明を実施するための最良の形態】
【００１６】  図１は、本発明の好適な実施の形態を示す点滅式夜光チョッキの正面図を示している。図２は電源に充電式の蓄電池を用いた例を示す部分拡大斜視図を示している。この点滅式夜光チョッキは、チョッキ本体１と、このチョッキ本体１に設けられた複数の発光ダイオード（ＬＥＤ）２と、チョッキ本体１に装着される発光ダイオード用の電源装置３とを有している。電気エネルギーを光りエネルギーに変換するものであれば、ＬＥＤに限らず他の発光体でも良い。【００１７】  チョッキ本体１の前面と後面（後面は図示せず）には、従来の点滅式夜光チョッキと同様に蛍光部分となる幅広の反射テープ４が設けられている。そして、この反射テープの内部あるいは裏面側に複数の発光ダイオード２が間隔をおいて配置されている。図示例の場合、前面８個、後面８個（図示せず）の合計１６個設けられている。反射テープ４は、発光ダイオード２からの光が反射テープ４を通して外部に露光可能なようにで形成されている。例えば蛍光色の着色透明あるいは光透過性となるように形成されている。発光ダイオード２には例えば赤色ＬＥＤが用いられる。【００１８】  電源装置３には充電式の蓄電池３１が利用されている。この蓄電池３１は、図２に示す収納部５に収納したときに嵩張らないように、平面略長方形の薄型に構成されている。蓄電池３１の蓄電方式には特に限定されないが、この実施の形態では５００回前後の充放電が可能な、出力電圧３ボルト程度のリチウムイオン電池が採用されている。なお、必要に応じて他の充電池を用いることもできる。【００１９】  蓄電池３１は電池ケース３２に着脱可能に装着されて収納部５に収納される。電池ケース３２にはリード線３３の一端が接続されている。リード線３３の他端は発光ダイオード２に接続され、蓄電池３１から電気が供給される。電池ケース３２には、発光ダイオード２の点滅制御器３４が装備されている。したがって、電源装置３は蓄電池３１、電池ケース３２、リード線３３、点滅制御器３４等により構成されている。【００２０】  収納部５はチョッキ本体１の合わせ部近くの内面側に袋状（ポケット状）に設けられたもので、開閉できる蓋５１が設けられている。蓋５１の内面と、収納部５の表面にはベルベット式ファスナー５２、５３が設けられ、蓋５１を仮固定できるようになっている。【００２１】  この実施の形態では、電源装置３に充電式の蓄電池３１を用いているので、点滅式夜光チョッキの使用に際して、充電器を用いて蓄電池３１を予め充電しておくことで、使用の途中で乾電池の交換をしたり、予備の乾電池を携帯したりする必要がなくなる。また、充分に充電しておくことで、発光ダイオード２の明るさを常時十分に維持することができる。【００２２】  充電器としては、電源に交流１００ボルトを利用するもの、車のバッテリーのような直流電源を利用するものの他、手回し式のハンドルを回転させて発電を行う携帯型発電機等を利用することができる。【００２３】  図３は、電源装置３の他の実施の形態を示す概略斜視図である。この電源装置３は、平面略長方形のケース３６内に、蓄電池３１と発電機３７を装備し、ケース３６の外側に、発電機３７を手動操作で回転させるハンドル３８を設けた、蓄電��付き手動発電機として構成したものである。なお、ハンドル３８は不使用時には嵩張らないように折り畳み可能に構成されている。【００２４】  ケース３６内には点滅制御器３４も装備されている。この電源装置３には、点滅制御器３４から延びて発光ダイオード２に接続された長目の電源用リード線３９が設けられている。この電源用リード線３９は２０ｃｍ前後の長さがあり、蓄電池３１の充電時以外は収納部５内にケース３６ごと収納される。【００２５】  この実施の形態では、蓄電池３１と発電機３７をケースに装備して一つにまとめた電源装置３とすることで、コンパクト化が可能になる上に、必要に応じていつでも蓄電池３１を充電することができる。またチョッキ本体１には電源装置３の収納部５を設け、電源装置３は、収納部５から電源装置３を取り出してハンドル３８の回転操作を行うために必要な長さの電源用リード線３９を備えている。したがって、チョッキを着衣したままでハンドル３８の回転操作を行うことができる。
【図面の簡単な説明】
【００２６】
【図１】  本発明の実施の形態を示す点滅式夜光チョッキの正面図。
【図２】  本発明の実施の形態を示す点滅式夜光チョッキの電源装置の部分拡大斜視図。
【図３】  本発明の電源装置の他の実施の形態を示す拡大斜視図。
【符号の説明】
【００２７】  １  チョッキ本体
２  発光ダイオード
３  電源装置
４  反射テープ
５  収納部
３１  蓄電池
３２  電池ケース
３３  リード線
３４  点滅制御器
３６  ケース
３７  発電機
３８  ハンドル
３９  電源用リード線
５１  蓋
【図１】
2006070416.tif 000003
【図２】
2006070416.tif 000004
【図３】
2006070416.tif 000005